(57)【要約】      （修正有）【課題】主に建物のクリーニングにおいて、合成洗剤を使用せず、環境に負荷がかからない純石鹸を使用して、従来以上の洗浄力と仕上がり美観を得ることができ、コスト削減もはかれ、あらゆる現場・洗浄用機械に対応できる処理水を生成する装置を提供する。【解決手段】水道水をイオン交換樹脂筒２に通し生成された処理水によって純石鹸を使用可能にし、さらにマイナスイオンセラミック筒４あるいは磁石筒または両筒を通すことによって水の分子の集まりを小さくすることにより高洗浄力を持ち、汚れが再付着しない処理水を生成する水処理装置を簡便に移動可能にすることを特徴とする。【選択図】図１
0003157537.tif 000002
【実用新案登録請求の範囲】
【請求項１】
（イ）イオン交換樹脂筒（１）の一端に水道水取り入れ口（２）を設け、この樹脂筒を通    った水が出るイオン交換処理水取出し口（３）を他の一端に設ける。
（ロ）イオン交換処理水取出し口（３）とマイナスイオンセラミック筒（４）の一端をフ    レキ管等で接続する。
（ハ）マイナスイオンセラミック筒（４）の先に処理水吐水口（６）をフレキ管等で接続    し設ける。
以上の構成よりなる水処理機構を持つものを、あらゆる清掃現場、清掃機材に簡便に対応できるよう車輪を設け、移動可能にした水処理装置。
【請求項２】
マイナスイオンセラミック筒（４）を同様の入水口と出水口が設けられている磁石筒（５）にした請求項１の水処理装置。
【請求項３】
イオン交換樹脂筒（１）と磁石筒（５）およびマイナスイオンセラミック筒（４）を接続した請求項１の水処理装置。
【請求項４】
イオン交換樹脂を再生するための塩水タンクを本体から分離出来る、脱着式塩水タンク（２２）にした請求項１、請求項２、請求項３の水処理装置。
【考案の詳細な説明】
【技術分野】
【０００１】  この考案は主たる目的として、建物のクリーニングに合成洗剤を使用せず、環境に負荷がかからない純石鹸等安全性が確認された洗剤を使用して清掃できるようにするための水処理装置に関するものである。
【背景技術】
【０００２】（イ）従来のビルクリーニングにおいては、使用する洗剤の希釈は水道水が前提であった    ため、合成洗剤が使用されていた。
（ロ）合成洗剤を使用せず、水だけで洗浄できるとされる処理水が販売され始めたが、こ    れは電気分解によるものである。
【考案の概要】
【考案が解決しようとする課題】
【０００３】  これらは次のような欠点があった。
（イ）環境対策用として販売されているもの以前の合成洗剤には、環境ホルモン物質が含    まれているものもあり、環境に対し深刻な打撃を与えている。
（ロ）環境対策用として販売された合成洗剤も、環境ホルモン物質とされたノニルフェノ    ールの替わりに他の合成界面活性剤ＬＡＳ等が使用されているが、ＬＡＳ・ＡＥには    、昨今環境ホルモン物質と同様の作用があることが明らかになった。
さらに、水道水による希釈を前提としているので、エデト酸等のキレート剤が含ま    れており、エデト酸は、ぜんそく、皮膚発疹などのアレルギーを起こし、摂取される    とカルシウム欠乏病となり、血圧降下、腎臓障害を起こすため、作業に従事する者の    健康に悪影響を及ぼしている。
それらは自然界において難生分解性ものが多く、環境に大きな負荷をかけている。
（ハ）純石鹸を水道水で希釈し、クリーニングすると金属石鹸いわゆる石鹸カスが生じ、    汚水が再付着しやすく、作業の困難性と仕上がり美観の低下が顕著である。
（ニ）電気分解によって生成された洗浄に適する処理水は、装置そのものの生成能力が低    く、多量の水を必要とする現場には対応できなかった。
同様にビルメンテナンス業に使用される高圧洗浄機、カーペット用の高圧スチーム    洗浄機にも対応できなかった。
また、生成能力を高めれば装置が大きくなり、移動が困難であると共に、生成時塩    素ガスが発生するため換気が必要となり、現実的には現場持ち込みが不可能な固定式    装置である。
（ホ）昨今、事務スペースのＯＡ化が進み、使用できる電源が非常に限られてきているた    め、生成時に電源を必要とする水処理装置は全ての現場事情に対応できるものではな    かった。
（ヘ）従来の床洗浄用合成洗剤は、ワックス塗膜を侵しつつ汚れを除去するといった性質    のものがほとんどで、ワックス塗布回数を増やすか、高濃度ワックスを使用しなけれ    ば光沢復元ができない傾向があった。
（ト）洗浄の際、はねてついた汚水あと、乾燥して再付着した汚水あとを修復するのに、    水拭きだけでは困難であった。
【課題を解決するための手段】
【０００４】（イ）イオン交換樹脂筒（１）の一端に設けられた水道水取り入れ口（２）より水道水を    取り入れる。
（ロ）イオン交換樹脂筒（１）を通して得られた処理水をこの樹脂筒の他の一端に設けら    れたイオン交換処理水取出し口（３）より吐出させる。
（ハ）イオン交換処理水取出し口（３）とマイナスイオンセラミック筒（４）の一端をフ    レキ管等で接続し設ける。
（ニ）イオン交換樹脂筒（１）を通して得られたイオン交換処理水をマイナスイオンセラ    ミック筒（４）に通すことによって二次処理水を得る。
（ホ）マイナスイオンセラミック筒（４）よりフレキ管等で接続されたボールバルブ（８    ）を開くことによって、この先に設けられた処理水吐水口（６）より吐出された水を    洗浄水、あるいは洗剤希釈水として使用する。
（ヘ）以上の機構を持つ水処理装置に車輪を設け、移動可能にする。
本考案は、以上の構成よりなる水処理装置である。【０００５】  イオン交換樹脂筒（１）を通して得られたイオン交換処理水を磁石筒（５）の中に通すことによって二次処理水を得る水処理装置。【０００６】  水道水を、イオン交換樹脂筒（１）と磁石筒（５）およびマイナスイオンセラミック筒（４）の中に連続して通すことによって三次処理水を得る水処理装置。【０００７】  車両搭載の際、省スペース化を得る為に、イオン交換樹脂を再生する時必要な塩水タンクを脱着式塩水タンク（２２）にする。
【図面の簡単な説明】
【０００８】
【図１】  本考案の斜視図である。
【図２】  本考案を分解した状態を示した説明図である。
【図３】  本考案の他の実施例を分解した状態を示した説明図である。
【図４】  本考案の他の実施例を分解した状態を示した説明図である。
【図５】  本考案の使用状態を示した斜視図である。
【図６】  本考案の第２の使用状態を示した斜視図である。
【考案を実施するための形態】
【０００９】  以下、本考案を実施するための形態について図２に示し説明する。
（イ）イオン交換樹脂を適正処理水量ごとに再生するためにイオン交換樹脂筒（１）の上    にイオン交換樹脂再生装置（１７）を設ける。
（ロ）イオン交換樹脂再生装置（１７）の適切な位置に水道水取り入れ口（２）と水道水    ・処理水切り換えレバー（１８）を設け、さらにイオン交換樹脂を通して生成された    処理水を吐出するイオン交換処理水取出し口（３）を設ける。
（ハ）イオン交換処理水を下方に流すため異径エルボ（９）をイオン交換処理水取出し口    （３）に接続し、さらにイオン交換樹脂筒（１）固定の補助のため長ニップル（１０    ）を接続する。
（ニ）長ニップル（１０）にフレキ管（１１）の袋ナット（２０）を接続させるために、    間につぎたしソケット（１９）を入れ接続する。
（ホ）フレキ管（１１）とマイナスイオンセラミック筒（４）の接続は袋ナットで行う。
（ヘ）マイナスイオンセラミック筒（４）は、内部のセラミックボールが流出しない様に    処置を施す。
（ト）マイナスイオンセラミック筒（４）からは、袋ナット、フレキ管（１２）、袋ナッ    トと順次接続し、イオン交換樹脂の再生時期を確認するための積算流量計（７）へと    接続する。
（チ）積算流量計（７）からは、袋ナット、フレキ管（１３）、袋ナット、つぎたしソケ    ットと順次接続し、止水用のボールバルブ（８）へと接続する。
（リ）ボールバルブ（８）からは、つぎたしソケット、袋ナット、フレキ管（１４）、袋    ナット、つぎたしソケットと順次接続し、処理水吐水口（６）固定の補助のための長    ニップル（１５）へと接続する。
（ヌ）長ニップル（１５）に処理水取出しに勝手がよくなるようエルボ（１６）を接続し    、本体のパッケージをはさみ込むように六角ニップル（２１）を接続する。
（ル）六角ニップル（２１）に処理水吐水口（６）を接続する。
（ヲ）以上の機構を持つ水処理装置本体の下部に車輪を設け、移動可能にする。
本考案は、以上の構成よりなっている。
本考案を使用するときは、図５に示すように、
（イ）水道栓の蛇口に耐圧ホースの一端を接続しホースバンド等で固定し、他の一端を本体の水道水取り入れ口（２）に接続し、同様に固定する。
（ロ）処理水吐水口（６）に耐圧ホースの一端を接続し、固定し、他の一端をペール缶等    の容器の中に入れる。
（ハ）ボールバルブ（８）が閉の状態を確認し、水導栓のコックを開ける。
以上で処理水生成の準備が完了し、ボールバルブ（８）を開ければ、あとは水道水の圧力で自動的に処理水が供給される。
洗浄用機械に連結して使用する場合、瞬間使用水量がおよそ毎分１２リットル以上の場合には、図６に示すように処理水をポリペール等の容器に一旦溜め洗浄用機械に吸水させて使用する。
瞬間使用水量がおよそ毎分１２リットル以下の場合には、処理水を直接洗浄用機械に接続して使用する。
なお、処理水の用途が複数の場合、図６のような使用形態の時はポリペール等から汲み出すか、洗浄用機械と本水処理装置の間に三つ又のホース接続具等を設けて対応する。
【００１０】  図３の様に、イオン交換樹脂筒（１）より順次接続されたフレキ管（１１）と磁石筒（５）の接続は袋ナットで行い、磁石筒（５）は、内部の通水管を流れる水の方向に対して垂直に磁力線が働くように磁石を配列し、磁力線がより強力に働く様、鉄で周りを囲んで閉回路とし、また、磁力線が外に漏れることによって健康被害が生じぬ様、筒の周りをさらに鉄板等で囲む処置を施す。
磁石筒（５）からは、袋ナット、フレキ管（１２）、袋ナット、つきたしソケットと順次接続し、イオン交換樹脂の再生を確認する為の積算流量計（７）へと接続する。
【００１１】    図４の様に、イオン交換樹脂筒（１）と磁石筒（５）およびマイナスイオンセラミック筒（４）の連結はフレキ管等を用い、接続は袋ナット等で行い、積算流量計（７）へと接続する。
【考案の効果】
【００１２】  本考案を使用することによって、以下の効果を得ることができる。
（イ）建物のクリーニングの際、環境に負荷がかからない純石鹸を使用しても従来の合成    洗剤以上の洗浄効果と仕上がり美観を得られる。
（ロ）建物のクリーニングにおいて、ほとんどの作業に合成洗剤を使用する必要がなくな    るので、作業従事者の健康を損なうことがなくなる。
（ハ）洗浄後直接肌に触れる機会があるカーペットのクリーニングにおいても純石鹸が使    用できるので、残留洗剤分による健康への影響がない。
（ニ）処理水の生成能力が高いので、現在ビルメンテナンス業で使用されている全ての洗    浄用機械に対応できる。
また、生成能力に比して装置が小型化できるので、現場への持ち込みが可能となる。
（ホ）処理水生成時に電源を必要としないので、従来通りの電源の取り方で作業ができる    。
（ヘ）洗浄時についた汚水のはねあと、乾燥して再付着した汚水あとが簡単に修復できる    ようになる。
（ト）処理水そのものの洗浄力が高いので、洗剤コストは、従来の合成洗剤と比べ約１０    分の１から２０分の１に、また、作業効率の向上により、作業時間を従来の２０％〜    ３０％短縮することが可能となる。
さらに、洗浄に使用する機械にスケールがつかなくなるので、洗浄用機械のメンテ  ナンスコストを削減できるようになる。
（チ）水垢が付かないので、散水仕上げの清掃仕様の場合、汚れが固着化することが無く    、強力な洗剤を使用しての修復清掃を必要としなくなる為、労力・コストの削減と環    境保全に寄与できるようになる。
【符号の説明】
【００１３】  １  イオン交換樹脂筒
２  水道水取り入れ口
３  イオン交換処理水取出し口
４  マイナスイオンセラミック筒
５  磁石筒
６  処理水吐水口
７  積算流量計
８  ボールバルブ
９  異径エルボ
１０  長ニップル
１１  フレキ管
１２  フレキ管
１３  フレキ管
１４  フレキ管
１５  長ニップル
１６  エルボ
１７  イオン交換樹脂再生装置
１８  水道水・処理水切換レバー
１９  つぎたしソケット
２０  袋ナット
２１  六角ニップル
２２  脱着式塩水タンク
【図１】
0003157537.tif 000003
【図２】
0003157537.tif 000004
【図３】
0003157537.tif 000005
【図４】
0003157537.tif 000006
【図５】
0003157537.tif 000007
【図６】
0003157537.tif 000008
【手続補正書】
【提出日】平成21年11月27日(2009.11.27)
【手続補正１】
【補正対象書類名】明細書
【補正対象項目名】０００９
【補正方法】変更
【補正の内容】
【０００９】  以下、本考案を実施するための形態について図２に示し説明する。（イ）イオン交換樹脂を適正処理水量ごとに再生するためにイオン交換樹脂筒（１）の上にイオン交換樹脂再生装置（１７）を設ける。（ロ）イオン交換樹脂再生装置（１７）の適切な位置に水道水取り入れ口（２）と水道水・処理水切り換えレバー（１８）を設け、さらにイオン交換樹脂を通して生成された処理水を吐出するイオン交換処理水取出し口（３）を設ける。（ハ）イオン交換処理水を下方に流すため異径エルボ（９）をイオン交換処理水取出し口（３）に接続し、さらにイオン交換樹脂筒（１）固定の補助のため長ニップル（１０）を接続する。（ニ）長ニップル（１０）にフレキ管（１１）の袋ナット（２０）を接続させるために、間につぎたしソケット（１９）を入れ接続する。（ホ）フレキ管（１１）とマイナスイオンセラミック筒（４）の接続は袋ナットで行う。（ヘ）マイナスイオンセラミック筒（４）は、内部のセラミックボールが流出しない様に処置を施す。（ト）マイナスイオンセラミック筒（４）からは、袋ナット、フレキ管（１２）、袋ナットと順次接続し、イオン交換樹脂の再生時期を確認するための積算流量計（７）へと接続する。（チ）積算流量計（７）からは、袋ナット、フレキ管（１３）、袋ナット、つぎたしソケットと順次接続し、止水用のボールバルブ（８）へと接続する。（リ）ボールバルブ（８）からは、つぎたしソケット、袋ナット、フレキ管（１４）、袋ナット、つぎたしソケットと順次接続し、処理水吐水口（６）固定の補助のための長ニップル（１５）へと接続する。（ヌ）長ニップル（１５）に処理水取出しに勝手がよくなるようエルボ（１６）を接続し、本体のパッケージをはさみ込むように六角ニップル（２１）を接続する。（ル）六角ニップル（２１）に処理水吐水口（６）を接続する。（ヲ）以上の機構を持つ水処理装置本体の下部に車輪を設け、移動可能にする。  本考案は、以上の構成よりなっている。  本考案を使用するときは、図５に示すように、（イ）水道栓の蛇口に耐圧ホースの一端を接続しホースバンド等で固定し、他の一端を本体の水道水取り入れ口（２）に接続し、同様に固定する。（ロ）処理水吐水口（６）に耐圧ホースの一端を接続し、固定し、他の一端をペール缶等の容器の中に入れる。（ハ）ボールバルブ（８）が閉の状態を確認し、水導栓のコックを開ける。  以上で処理水生成の準備が完了し、ボールバルブ（８）を開ければ、あとは水道水の圧力で自動的に処理水が供給される。  洗浄用機械に連結して使用する場合、瞬間使用水量がおよそ毎分１２リットル以上の場合には、図６に示すように処理水をポリペール（登録商標）等の容器に一旦溜め洗浄用機械に吸水させて使用する。  瞬間使用水量がおよそ毎分１２リットル以下の場合には、処理水を直接洗浄用機械に接続して使用する。  なお、処理水の用途が複数の場合、図６のような使用形態の時はポリペール等から汲み出すか、洗浄用機械と本水処理装置の間に三つ又のホース接続具等を設けて対応する。
【手続補正２】
【補正対象書類名】図面
【補正対象項目名】図６
【補正方法】変更
【補正の内容】
【図６】
0003157537.tif 000009
【手続補正３】
【補正対象書類名】実用新案登録請求の範囲
【補正対象項目名】請求項４
【補正方法】変更
【補正の内容】
【請求項４】
請求項１から３のいずれか一項に記載の水処理装置のイオン交換樹脂を再生するための塩水タンクを本体から分離出来る、脱着式塩水タンク（２２）にした水処理装置。
【手続補正４】
【補正対象書類名】実用新案登録請求の範囲
【補正対象項目名】請求項１
【補正方法】変更
【補正の内容】
【請求項１】
（イ）イオン交換樹脂筒（１）の一端に水道水取り入れ口（２）を設け、この樹脂筒を通った水が出るイオン交換処理水取出し口（３）を他の一端に設ける。（ロ）イオン交換処理水取出し口（３）とマイナスイオンセラミック筒（４）の一端をフレキ管で接続する。（ハ）マイナスイオンセラミック筒（４）の先に処理水吐水口（６）をフレキ管で接続し設ける。以上の構成よりなる水処理機構を持つものを、あらゆる清掃現場、清掃機材に簡便に対応できるよう車輪を設け、移動可能にした水処理装置。